(57)【要約】【課題】リモコン送信機で操作されるテレビジョン装置において、後付の拡張ボードをリモコン制御できるようにする。【解決手段】テレビジョン装置１０は、モード切替ボタンを持つリモコン送信機２と、テレビ本体部３と拡張ボード６とを有するテレビジョン受像機１とを備える。テレビ本体部３はリモコン送信機２から受信したリモコンコードを変換せずにそのまま拡張ボード６に送信し、拡張ボード６は、予め拡張ボード６のリモコン操作用の拡張コードを記憶し、モード切替による拡張ボード操作時に、テレビ本体部３からのリモコンコードに拡張コードを検出した場合は、拡張ボード制御部６５はこの拡張コードで拡張ボード６を制御し、拡張コードを検出せず、かつテレビ本体部３を制御するコードを検出した場合は、このコードでテレビ本体部３をリモコン操作する。これにより、後付の拡張ボード６をリモコン送信機２により高速にリモコン制御することができる。【選択図】図１
2008199466.tif 000002
【特許請求の範囲】
【請求項１】
本装置を遠隔制御するリモコン送信機と、
前記リモコン送信機からのリモコン信号を受信するリモコン受信部と、前記リモコン受信部で受信されたリモコン信号により選局されるテレビ放送信号を受信して復調するテレビ信号復調部と、このテレビ信号復調部により復調された複合テレビ信号から映像信号及び音声信号をそれぞれデコードする映像デコーダ部及び音声デコーダ部と、本装置全体を制御する主制御部と、前記主制御部に必要な制御情報を記憶する主メモリ部と、を有するテレビ本体部と、
前記映像デコーダ部及び音声デコーダ部からの映像信号（第１の映像信号という）及び音声信号（第１の音声信号という）をそれぞれ表示及び拡声する表示部及び拡声部と、
を備えたテレビ受像装置において、
前記リモコン送信機は、ユーザによるリモコン操作をリモコンコードに変換するリモコン操作部と、該リモコンコードを送信するリモコン送信部とを有し、
前記テレビ本体部は、
本装置の機能アップのために後付けされて組み込まれる拡張ボードとの接続インターフェースとなる第１のインターフェース部（以下、ＩＦ部という）と、
前記表示部及び拡声部に入力される映像信号及び音声信号をそれぞれ切替える第１のスイッチ及び第２のスイッチと、をさらに備え、
前記拡張ボードは、
前記第１の映像信号及び第１の音声信号と異なる第２の映像信号及び第２の音声信号を生成する映像音声信号処理部と、
前記拡張ボードと前記テレビ本体部との接続インターフェースとなると、
前記拡張ボードと前記テレビ本体部との接続インターフェースとなる第２のＩＦ部と、
前記拡張ボード全体を制御する拡張ボード制御部と、
前記拡張ボード制御部に必要な制御情報を記憶する拡張メモリ部と、を備え、
前記第１のＩＦ部及び第２のＩＦ部は、少なくとも前記拡張ボードの第２の映像信号及び第２の音声信号を前記テレビ本体部に伝達するＡＶ接続ＩＦと、前記テレビ本体部と前記拡張ボード間で双方向に通信される制御データを伝達するデータ通信ＩＦとをそれぞれ有し、
前記リモコン送信機は、少なくとも前記テレビ本体部単体のリモコン操作と、前記拡張ボードのリモコン操作とを切替えるモード切替ボタンを有し、
前記拡張メモリ部は、前記拡張ボードのリモコン制御に必要な前記拡張ボード用のリモコンコードリスト（拡張コードという）を予め記憶し、
前記テレビ本体部及び拡張ボードの電源がオンされたとき、前記拡張ボード制御部は、前記データ通信ＩＦを介して前記主制御部に前記拡張ボード接続有りの情報を送信し、
前記主制御部は、
前記拡張ボード接続有りの情報を受信して前記テレビ本体部と該拡張ボードとの接続を確認し、
ユーザが前記リモコン送信機のモード切替ボタンで前記テレビ本体部単体のリモコン操作を選択したときは、
前記リモコン送信機による前記テレビ本体部に対する通常のリモコン動作を行い、
ユーザが前記リモコン送信機のモード切替ボタンで前記拡張ボードのリモコン操作を選択したときは、
前記第１のスイッチと第２のスイッチをそれぞれ切替えて前記第２の映像信号及び第２の音声信号を前記表示部及び拡声部に入力し、
前記リモコン送信機から送信されてきたリモコンコードを変換せずにそのまま前記拡張ボードの拡張ボード制御部に送信し、
前記拡張ボード制御部は、
前記テレビ本体部から送信された前記リモコンコードの中に前記拡張コードを検出した場合は、該拡張コードに基いて前記拡張ボードを制御し、
前記テレビ本体部からのリモコンコードの中に前記拡張コードを検出しなかった場合であっても、前記テレビ本体部を制御するために必要なリモコンコートを検出したときは、このリモコンコードをそのまま前記テレビ本体部に送り返し、このリモコンコードにより前記テレビ本体部を制御し、
前記テレビ本体部からのリモコンコードの中に前記テレビ本体部を制御するのに必要なリモコンコードを検出しなかったときは、前記テレビ本体部から送られてきたリモコンコードに対して何も対応しないようにしたことを特徴とするテレビジョン装置。
【請求項２】
本装置を遠隔制御するリモコン送信機と、
前記リモコン送信機からのリモコン信号を受信するリモコン受信部と、前記リモコン受信部で受信されたリモコン信号により選局されるテレビ放送信号を受信して復調するテレビ信号復調部と、このテレビ信号復調部により復調された複合テレビ信号から映像信号及び音声信号をそれぞれデコードする映像デコーダ部及び音声デコーダ部と、本装置全体を制御する主制御部と、前記主制御部に必要な制御情報を記憶する主メモリ部と、を有するテレビ本体部と、
前記映像デコーダ部及び音声デコーダ部からの映像信号（第１の映像信号という）及び音声信号（第１の音声信号という）をそれぞれ表示及び拡声する表示部及び拡声部と、
を備えたテレビ受像装置において、
前記リモコン送信機は、ユーザによるリモコン操作をリモコンコードに変換するリモコン操作部と、該リモコンコードを送信するリモコン送信部とを有し、
前記テレビ本体部は、
本装置の機能アップのために後付けされて組み込まれる拡張ボードとの接続インターフェースとなる第１のインターフェース部（以下、ＩＦ部という）を、さらに備え、
前記拡張ボードは、
前記第１の映像信号及び第１の音声信号と異なる第２の映像信号及び第２の音声信号を生成する映像音声信号処理部と、
前記拡張ボードと前記テレビ本体部との接続インターフェースとなると、
前記拡張ボードと前記テレビ本体部との接続インターフェースとなる第２のＩＦ部と、
前記拡張ボード全体を制御する拡張ボード制御部と、
前記拡張ボード制御部に必要な制御情報を記憶する拡張メモリ部と、を備え、
前記拡張メモリ部は、前記拡張ボードのリモコン制御に必要な拡張ボード用のリモコンコードリスト（拡張コードという）を予め記憶し、
前記第１のＩＦ部及び第２のＩＦ部は、少なくとも前記拡張ボードの第２の映像信号及び第２の音声信号を前記テレビ本体部に伝達するＡＶ接続ＩＦと、前記テレビ本体部と前記拡張ボード間で双方向に通信される制御データを伝達するデータ通信ＩＦとをそれぞれ有し、
前記リモコン送信機は、少なくとも前記テレビ本体部単体のリモコン操作と、前記拡張ボードのリモコン操作とを切替えるモード切替ボタンを有し、
前記主制御部は、
ユーザが前記リモコン送信機のモード切替ボタンで前記テレビ本体部の単体操作を選択したときは、前記リモコン送信機による前記テレビ本体部に対する通常のリモコン動作を行い、
ユーザが前記リモコン送信機のモード切替ボタンで拡張ボード操作を選択したときは、前記リモコン送信機から送信されてきたリモコンコードを変換せずにそのまま前記拡張ボード制御部に送信することにより、前記後付けされた拡張ボードを前記リモコン送信機によりリモコン操作することを可能としたことを特徴とするテレビジョン装置。
【請求項３】
前記拡張ボード制御部は、
前記テレビ本体部からのリモコンコードの中に前記拡張コードを検出した場合は、該拡張コードに基いて拡張ボードを制御し、
前記テレビ本体部から送信されたリモコンコードの中に前記拡張コードを検出しなかった場合であっても、前記テレビ本体部を制御するために必要なリモコンコードを検出したときは、このリモコンコードをそのまま前記テレビ本体部に送り返し、このリモコンコードにより前記テレビ本体部を制御することを特徴とする請求項２に記載のテレビジョン装置。
【発明の詳細な説明】
【技術分野】
【０００１】
本発明は、リモコン装置で制御されるテレビジョン装置において、後付により組み込まれた拡張ボードに対してもリモコン制御することができるテレビジョン装置に関するものである。
【背景技術】
【０００２】
従来のテレビジョン装置において、既に出荷されたテレビジョン装置に対して新規機能を付加する場合、通常、他の電子機器（例えば、ＶＣＲやＤＶＤレコーダ等）をテレビジョン装置の外部接続端子に信号ラインを介して接続することにより行ってきた。しかしながら、テレビジョン装置に外部接続された他の電子機器をリモコン装置によってリモコン操作する場合、テレビジョン装置のリモコン装置に加え、外部接続される他の電子機器のリモコン装置も必要とされるので、リモコン装置の数が増え、リモコン操作が複雑となっていた。また、テレビジョン装置と接続される電子機器が異なると、その度にリモコン装置を買い換える必要があり、ユーザに迷惑をかけていた。また、新規機能として、わずかな機能アップでも電子機器として構成して外部接続すると、別途筐体や電源回路などを必要とするなど装置が大型化し、コストアップとなると共に、電力消費も増大していた。
【０００３】
ところで、特許文献１に示されるように、テレビジョン装置に複数の外部接続端子を設け、これら外部接続端子に複数の電子機器（ＶＣＲ）を接続し、テレビジョン装置をコントローラとして、各機器をバスラインを設けて接続するバスシステムが知られている。このバスシステムでは、テレビジョン装置は、各電子機器より転送される機器アドレスを認識すると共に、各機器から転送される各機器の制御コードをメモリに記憶し、各電子機器は、テレビジョン装置より転送される各機器専用の制御コードによって制御される。しかしながら、このテレビジョン装置では、機能を拡張するために、外部電子機器を接続し、各機器アドレス等を有するホームバスライン等を必要とするので、構成が複雑になると共に、高価となっていた。また、このような外部機器による機能アップでは、わずかな機能追加でも電子機器の形に構成して外部接続する必要があり、装置全体が大型化し、コストアップとなると共に、電力消費も増大していた。
【０００４】
また、特許文献２に示されるように、ＩＥＥＥ１３９４ネットワークによりテレビジョン受像機に被制御機器となるＡＶ機器が外部接続され、リモコン送信機を用いてテレビジョン受像機と、外部接続されたＡＶ機器とを制御する遠隔制御システムにおいて、リモコン送信機からのリモコンコードを、テレビジョン受像機の制御処理部においてＡＶ機器を制御する制御コマンドに変換し、ＡＶ機器を遠隔操作するものが知られている。しかしながら、この遠隔制御システムでは、前記同様、テレビジョン受像機の機能拡張において、外部接続するＡＶ機器をリモコン制御するために、リモコンコードを制御コマンドに変換するための複雑な制御変換回路を必要とすると共に、シリアルインターフェースであるＩＥＥＥ１３９４を用いて接続するため、接続機器全てにＩＥＥＥ１３９４インターフェースを必要とするなど、装置が大型化、複雑化して高価となっていた。
【特許文献１】特開平４‐２８２９９８号公報
【特許文献２】特開２００４‐３２０２９６号公報
【発明の開示】
【発明が解決しようとする課題】
【０００５】
本発明は、上記の問題を解決するためになされたものであり、テレビ本体部用のリモコン送信機を用いて後付けで組み込まれた拡張ボードを簡単にリモコン制御することができるテレビジョン装置を提供することを目的とする。
【課題を解決するための手段】
【０００６】
上記目的を達成するため請求項１の発明は、本装置を遠隔制御するリモコン送信機と、前記リモコン送信機からのリモコン信号を受信するリモコン受信部と、前記リモコン受信部で受信されたリモコン信号により選局されるテレビ放送信号を受信して復調するテレビ信号復調部と、このテレビ信号復調部により復調された複合テレビ信号から映像信号及び音声信号をそれぞれデコードする映像デコーダ部及び音声デコーダ部と、本装置全体を制御する主制御部と、前記主制御部に必要な制御情報を記憶する主メモリ部と、を有するテレビ本体部と、前記映像デコーダ部及び音声デコーダ部からの映像信号（第１の映像信号という）及び音声信号（第１の音声信号という）をそれぞれ表示及び拡声する表示部及び拡声部と、を備えたテレビ受像装置において、前記リモコン送信機は、ユーザによるリモコン操作をリモコンコードに変換するリモコン操作部と、該リモコンコードを送信するリモコン送信部とを有し、前記テレビ本体部は、本装置の機能アップのために後付けされて組み込まれる拡張ボードとの接続インターフェースとなる第１のインターフェース部（以下、ＩＦ部という）と、前記表示部及び拡声部に入力される映像信号及び音声信号をそれぞれ切替える第１のスイッチ及び第２のスイッチと、をさらに備え、前記拡張ボードは、前記第１の映像信号及び第１の音声信号と異なる第２の映像信号及び第２の音声信号を生成する映像音声信号処理部と、前記拡張ボードと前記テレビ本体部との接続インターフェースとなる第２のＩＦ部と、前記拡張ボード全体を制御する拡張ボード制御部と、前記拡張ボード制御部に必要な制御情報を記憶する拡張メモリ部と、を備え、前記第１のＩＦ部及び第２のＩＦ部は、少なくとも前記拡張ボードの第２の映像信号及び第２の音声信号を前記テレビ本体部に伝達するＡＶ接続ＩＦと、前記テレビ本体部と前記拡張ボード間で双方向に通信される制御データを伝達するデータ通信ＩＦとをそれぞれ有し、前記リモコン送信機は、少なくとも前記テレビ本体部単体のリモコン操作と、前記拡張ボードのリモコン操作とを切替えるモード切替ボタンを有し、前記拡張メモリ部は、前記拡張ボードのリモコン制御に必要な前記拡張ボード用のリモコンコードリスト（拡張コードという）を予め記憶し、前記テレビ本体部及び拡張ボードの電源がオンされたとき、前記拡張ボード制御部は、前記データ通信ＩＦを介して前記主制御部に前記拡張ボード接続有りの情報を送信し、前記主制御部は、前記拡張ボード接続有りの情報を受信して前記テレビ本体部と該拡張ボードとの接続を確認し、ユーザが前記リモコン送信機のモード切替ボタンで前記テレビ本体部単体のリモコン操作を選択したときは、前記リモコン送信機による前記テレビ本体部に対する通常のリモコン動作を行い、ユーザが前記リモコン送信機のモード切替ボタンで前記拡張ボードのリモコン操作を選択したときは、前記第１のスイッチと第２のスイッチをそれぞれ切替えて前記第２の映像信号及び第２の音声信号を前記表示部及び拡声部に入力し、前記リモコン送信機から送信されてきたリモコンコードを変換せずにそのまま前記拡張ボードの拡張ボード制御部に送信し、前記拡張ボード制御部は、前記テレビ本体部から送信された前記リモコンコードの中に前記拡張コードを検出した場合は、該拡張コードに基いて前記拡張ボードを制御し、前記テレビ本体部からのリモコンコードの中に前記拡張コードを検出しなかった場合であっても、前記テレビ本体部を制御するために必要なリモコンコートを検出したときは、このリモコンコードをそのまま前記テレビ本体部に送り返し、このリモコンコードにより前記テレビ本体部を制御し、前記テレビ本体部からのリモコンコードの中に前記テレビ本体部を制御するのに必要なリモコンコードを検出しなかったときは、前記テレビ本体部から送られてきたリモコンコードに対して何も対応しないようにしたものである。
【０００７】
請求項２の発明は、本装置を遠隔制御するリモコン送信機と、前記リモコン送信機からのリモコン信号を受信するリモコン受信部と、前記リモコン受信部で受信されたリモコン信号により選局されるテレビ放送信号を受信して復調するテレビ信号復調部と、このテレビ信号復調部により復調された複合テレビ信号から映像信号及び音声信号をそれぞれデコードする映像デコーダ部及び音声デコーダ部と、本装置全体を制御する主制御部と、前記主制御部に必要な制御情報を記憶する主メモリ部と、を有するテレビ本体部と、前記映像デコーダ部及び音声デコーダ部からの映像信号（第１の映像信号という）及び音声信号（第１の音声信号という）をそれぞれ表示及び拡声する表示部及び拡声部と、を備えたテレビ受像装置において、前記リモコン送信機は、ユーザによるリモコン操作をリモコンコードに変換するリモコン操作部と、該リモコンコードを送信するリモコン送信部とを有し、前記テレビ本体部は、本装置の機能アップのために後付けされて組み込まれる拡張ボードとの接続インターフェースとなる第１のインターフェース部（以下、ＩＦ部という）を、さらに備え、前記拡張ボードは、前記第１の映像信号及び第１の音声信号と異なる第２の映像信号及び第２の音声信号を生成する映像音声信号処理部と、前記拡張ボードと前記テレビ本体部との接続インターフェースとなる第２のＩＦ部と、前記拡張ボード全体を制御する拡張ボード制御部と、前記拡張ボード制御部に必要な制御情報を記憶する拡張メモリ部と、を備え、前記拡張メモリ部は、前記拡張ボードのリモコン制御に必要な拡張ボード用のリモコンコードリスト（拡張コードという）を予め記憶し、前記第１のＩＦ部及び第２のＩＦ部は、少なくとも前記拡張ボードの第２の映像信号及び第２の音声信号を前記テレビ本体部に伝達するＡＶ接続ＩＦと、前記テレビ本体部と前記拡張ボード間で双方向に通信される制御データを伝達するデータ通信ＩＦとをそれぞれ有し、前記リモコン送信機は、少なくとも前記テレビ本体部単体のリモコン操作と、前記拡張ボードのリモコン操作とを切替えるモード切替ボタンを有し、前記主制御部は、ユーザがリモコン送信機のモード切替ボタンで前記テレビ本体部の単体操作を選択したときは、前記リモコン送信機による前記テレビ本体部に対する通常のリモコン動作を行い、ユーザがリモコン送信機のモード切替ボタンで拡張ボード操作を選択したときは、前記リモコン送信機から送信されてきたリモコンコードを変換せずにそのまま前記拡張ボード制御部に送信することにより、前記後付けされた拡張ボードを前記リモコン送信機によりリモコン操作することを可能としたものである。
【０００８】
請求項３の発明は、請求項２におけるテレビジョン装置において、前記拡張ボード制御部は、前記テレビ本体部からのリモコンコードの中に前記拡張コードを検出した場合は、該拡張コードに基いて拡張ボードを制御し、前記テレビ本体部から送信されたリモコンコードの中に前記拡張コードを検出しなかった場合であっても、前記テレビ本体部を制御するために必要なリモコンコードを検出したときは、このリモコンコードをそのまま前記テレビ本体部に送り返し、このリモコンコードにより前記テレビ本体部を制御するものである。
【発明の効果】
【０００９】
請求項１の発明によれば、テレビ本体部と拡張ボードにそれぞれ第１のＩＦ部、第２のＩＦ部を設けたことにより、後付による拡張ボードの組み込みが可能となり、ユーザが製品購入後も外付け機器を接続すること無しに装置の機能拡張を図ることができる。さらに、拡張ボードを組み込んだ状態で、テレビ本体部の制御ラインと拡張ボードの制御ラインとを直接接続して、複雑な通信ネットワークを必要とせず拡張ボードから拡張コードをテレビ本体部に通信できるので、この拡張ボードを同じリモコン送信機を用いて容易に遠隔制御することができる。また、拡張ボードを制御する拡張コードの中に、拡張ボードをリモコン操作する操作キーを指定する情報を付加しておくことにより、操作キーを追加したり、別途新たにリモコン送信機を準備する必要がなく、テレビ本体部用のリモコン送信機により後付けで組み込まれた拡張ボードをリモコン操作することができる。また、ユーザがリモコン送信機で拡張ボード操作を選択したときは、主制御部がリモコン送信機からのリモコンコードを変換せずそのまま拡張ボード制御部に送信するので、テレビ本体部において拡張コード検出処理を省けると共に、拡張ボード制御部においてリモコンコードを直接検出して拡張ボードを制御でき、拡張ボードのリモコン操作にたいする応答速度が速くなる。また、同時にテレビ本体側で拡張コードを検知する拡張コード情報を持つ必要がないので、テレビ本体部の主メモリ部に拡張ボード側から拡張コードを転送する必要がなく、また主メモリ部の容量も少なくて済む。また、ユーザがリモコン送信機で拡張ボード操作を選択したときに、拡張ボード制御部は、テレビ本体部からのリモコンコードの中に拡張コードを検出しなかった場合であっても、テレビ本体部を制御するために必要なリモコンコートを検出したときは、このリモコンコードをそのままテレビ本体部に送り返して、このコードによりテレビ本体部を制御するので、拡張ボードは、拡張ボード自体に係る拡張コードだけを記憶すればよく、その分、拡張メモリ部のメモリ容量を少なくすることができる。
【００１０】
請求項２の発明によれば、テレビ本体部と拡張ボードにそれぞれ第１のＩＦ部、第２のＩＦ部を設けたことにより、後付による拡張ボードの組み込みが可能となり、ユーザが製品購入後も外付け機器を接続すること無しに装置の機能拡張を図ることができる。さらに、拡張ボードを組み込んだ状態で、テレビ本体部の制御ラインと拡張ボードの制御ラインとを直接接続して、複雑な通信ネットワークを必要とせず拡張ボードから拡張コードをテレビ本体部に通信できるので、この拡張ボードを同じリモコン送信機を用いて容易に遠隔制御することができる。また、拡張ボードを制御する拡張コードの中に、拡張ボードをリモコン操作する操作キーを指定する情報を付加しておくことにより、操作キーを追加したり、別途新たにリモコン送信機を準備する必要がなく、テレビ本体部用のリモコン送信機により後付けで組み込まれた拡張ボードをリモコン操作することができる。また、ユーザがリモコン送信機で拡張ボード操作を選択したときは、主制御部がリモコン送信機からのリモコンコードを変換せずそのまま拡張ボード制御部に送信するので、テレビ本体部において拡張コード検出処理を省けると共に、拡張ボード制御部においてリモコンコードを直接検出して拡張ボードを制御でき、拡張ボードのリモコン操作にたいする応答速度が速くなる。
【００１１】
請求項３の発明によれば、ユーザがリモコン送信機で拡張ボード操作を選択したときに、拡張ボード制御部は、テレビ本体部からのリモコンコードの中に拡張コードを検出しなかった場合であっても、テレビ本体部を制御するために必要なリモコンコートを検出したときは、このリモコンコードをそのままテレビ本体部に送り返すので、このコードにより主制御部がテレビ本体部を制御することができる。従って、拡張ボードは、拡張ボード自体に係る拡張コードだけを記憶すればよく、その分、拡張メモリ部のメモリ容量を少なくすることができる。
【発明を実施するための最良の形態】
【００１２】
以下、本発明の一実施形態に係るテレビジョン装置について、図面を参照して説明する。図１は、本実施形態のテレビジョン装置１０の回路構成を示す。テレビジョン装置１０は、テレビジョン受像機１と、リモコン送信機２を備える。テレビジョン受像機１は、テレビ本体部３、表示部４、スピーカ５（拡声部）及び拡張ボード６を有し、アンテナ７に接続される。
【００１３】
テレビ本体部３は、リモコン送信機２からのリモコン信号を受信するリモコン受信部３１と、リモコン受信部３１からのリモコン信号によりアンテナ７で受信したテレビ放送信号を選局して復調するチューナ部３２（テレビ信号復調部）と、このチューナ部３２で復調した複合テレビ信号から映像信号及び音声信号をそれぞれデコードする映像デコーダ３３及び音声デコーダ３４と、デコードされた映像信号を表示部４に出力する映像出力部３５と、音声信号を増幅出力する音声出力部３６と、リモコン受信部３１からのリモコン信号に基いて本装置全体を制御する主制御部３７と、リモコン制御用のリモコンコードを含む装置制御に必要な情報を記憶する主メモリ部３８とを有する。
【００１４】
また、テレビ本体部３は、本装置の機能アップのために後付されて組み込まれる拡張ボード６との接続インターフェースとなる第１のインターフェース部（以下、ＩＦ部という）３９と、表示部４及びスピーカ５に入力される映像信号及び音声信号をそれぞれ切替える第１のスイッチ４０及び第２のスイッチ４１とをさらに備える。これら第１のスイッチ４０及び第２のスイッチ４１は、リモコン送信機２のモード切替ボタン２３（図２参照）の切替操作に連動してそれぞれ切替えられ、テレビ本体部３からの第１の映像信号及び第１の音声信号と、拡張ボード６からの第２の映像信号及び第２の音声信号とを切替える。
【００１５】
表示部４は、テレビ用液晶ディスプレイ等からなり、映像デコーダ３３によりデコードされた映像信号（第１の映像信号という）を、映像出力部３５を介して表示する。また、スピーカ５は、音声デコーダ３４でデコードされ、音声出力部３６で増幅された音声信号を拡声する。
【００１６】
リモコン送信機２は、リモコン操作部２１と、リモコン送信部２２とを有する。リモコン操作部２１は、ユーザのキー操作をリモコンコードに変換し、リモコン送信部２２は、リモコンコードをリモコン信号として送信し、これにより本装置１０を遠隔制御する。
【００１７】
図２に示すように、リモコン送信機２のリモコン操作部２１は、テレビ本体部３単体のリモコン操作と、拡張ボード６のリモコン操作とを切替える操作キーとしてモード切替ボタン２３を有し、電源キー２４、音量キー２５、数字キー２６、及び十字キー２７等を備える。リモコン操作部２１の各操作キーは、拡張ボード６がリモコン操作される場合に、拡張ボード６のリモコン制御に合うようにキー操作内容が変更される。なお、このモード切替ボタン２３を設ける代わりに、従来のリモコン送信機におけるテレビジョン受像機１と複数の外部機器（例えば、ＶＣＲやＤＶＤレコーダなど）との接続を切替える入力切替キー（不図示）を用い、その切替数を増やすことによってモード切替を行ってもよい。
【００１８】
拡張ボード６は、テレビジョン受像機１の機能アップのために、製品出荷後にテレビ本体部３に後付により組み込まれる組込みボードである。この拡張ボード６は、第２の映像信号及び第２の音声信号を生成する映像音声信号処理部６１と、映像音声信号処理部６１からそれぞれ第２の映像信号及び第２の音声信号を出力する映像出力部６２及び音声出力部６３と、拡張ボード６とテレビ本体部３との接続インターフェースとなる第２のＩＦ部６４と、拡張ボード６全体を制御する拡張ボード制御部６５と、拡張ボード制御部６５に必要な制御情報を記憶する拡張メモリ部６６とを備える。
【００１９】
上記映像音声信号処理部６１は、例えば、ＳＤメモリカード（Ｓｅｃｕｒｅ  Ｄｉｇｉｔａｌ  ｍｅｍｏｒｙ  ｃａｒｄ）や小型ハードディスク等を備え、それらに記憶された動画信号、静止画信号、音声信号等により第２の映像信号及び第２の音声信号を出力可能である。また、ＳＤメモリカードは、交換可能なように、テレビジョン受像機１に接続アダプタを設けて拡張ボード６と接続することによっても構成できる。また、小型ハードディスクは、拡張ボード６に装着して、パソコン等と接続することにより、色々な映像音声を記憶することができる。また、拡張メモリ部６６は、拡張ボード６のリモコン制御に必要なリモコンコードリスト（拡張コードという）を予め記憶している。拡張ボード制御部６５は、拡張コードに従って拡張ボード６を制御する。
【００２０】
また、テレビ本体部３と拡張ボード６とにおける第１のＩＦ部３９及び第２のＩＦ部６４は、拡張ボード６の第２の映像信号及び第２の音声信号をテレビ本体部３に伝達するために接続されるＡＶ接続ＩＦ端子Ｐ１、Ｐ２及びＱ１、Ｑ２（ＡＶ接続ＩＦ）と、テレビ本体部３と拡張ボード６間で双方向に通信される制御データを伝達するために接続されるデータ通信ＩＦ端子Ｐ３、Ｑ３（データ通信ＩＦ）とをそれぞれ有している。これらのＡＶ接続ＩＦ端子Ｐ１、Ｑ１間、及びＰ２、Ｑ２間をそれぞれ接続することにより、テレビ本体部３への第２の映像信号及び第２の音声信号が供給され、データ通信ＩＦ端子Ｐ３、Ｑ３間を接続することにより、テレビ本体部３と拡張ボード６間において双方向データ通信が行われる。なお、ＡＶ接続ＩＦを双方向にして、拡張ボード６の映像音声信号処理部６１に第１の映像信号及び第１の音声信号を記憶することもできる。
【００２１】
上記構成におけるテレビジョン装置１０の、リモコン送信機２によるテレビ本体部３及び拡張ボード６のリモコン制御の動作手順について、図３に示すフローチャートを参照して説明する。先ず、予め拡張ボード６をリモコン制御する拡張コードを拡張メモリ部６６に記憶しておく。この拡張ボード６がテレビジョン受像機１内に後付されて組み込まれた後、テレビ本体部３と拡張ボード６の電源がオンされると（Ｓ１）、拡張ボード制御部６５は、第１及び第２のＩＦ部３９、６４間の通信ＩＦを介して拡張ボードの接続有りの情報を主制御部３７へ送信する（Ｓ２）。主制御部３７は、この送られてきた拡張コード有りの情報を受信して、テレビ本体部３と拡張ボード６との接続を確認する（Ｓ３）。次に、ユーザがリモコン送信機２のモード切替ボタン２３でテレビ本体部３の単体操作を選択した場合は（Ｓ４でＹＥＳ）、主制御部３７は、第１のスイッチ４０と第２のスイッチ４１を第１の映像信号、第１の音声信号を出力するように設定して、リモコン送信機２によるテレビ本体部３に対する通常のリモコン動作を行う（Ｓ５）。また、ユーザがリモコン送信機２のモード切替ボタン２３で拡張ボード操作を選択した場合は（Ｓ４でＮＯ）、主制御部３７は、第１のスイッチ４０と第２のスイッチ４１をそれぞれ切替えて、拡張ボード６の映像音声信号処理部６１からの第２の映像信号及び第２の音声信号を表示部４及びスピーカ５に入力する（Ｓ６）。そして、テレビ本体部３は、リモコン送信機２から送られてきたリモコンコードを変換せずにそのまま拡張ボード６の拡張ボード制御部６５に送信する（Ｓ７）。さらに、拡張ボード制御部６５がリモコン送信機２からのリモコンコードの中に拡張コードを検出した場合は（Ｓ８でＹＥＳ）、拡張ボード制御部６５は、この検出した拡張コードに基いて、拡張ボード６を制御する（Ｓ９）。また、拡張ボード制御部６５が、リモコン送信機２から送られたリモコンコードの中に拡張コードを検出しなかった場合においても（Ｓ８でＮＯ）、拡張ボード６操作時において、テレビ本体部３を制御するために必要なリモコンコードを検出したときは（例えば、テレビ本体部３の電源オン、オフキーや音量調整キーのリモコンコードなどであり、これらは、拡張ボード６の制御に直接必要なく、拡張コードに含まれない）（Ｓ１０でＹＥＳ）、このリモコンコードをそのままテレビ本体部３に送り返し（Ｓ１１）、このリモコンコードによりテレビ本体部３を制御する（Ｓ５）。また、テレビ本体部３を制御するのに必要なリモコンコードを検出しなかったときは（例えば、チャンネル選局キーなど、拡張ボード６操作に関係ない操作キーを押下したときなど）（Ｓ１０でＮＯ）、このリモコンコードに対して何も対応しない。
【００２２】
上記拡張ボード６が組込み込まれたテレビジョン装置１０において、拡張ボード６を入手したユーザに対して、予め拡張ボード６のリモコン操作に対応したリモコン操作部２１のキー操作変更のためのキー操作対応表（テレビ本体部３単体の操作時と、拡張ボード６操作時との操作キーの操作内容の違いをリスト化したもの）を一緒に配布しておく。従って、例えば、ユーザが拡張ボード６の映像音声信号処理部６１におけるＳＤメモリカードからデジタルカメラで撮った静止画を表示部４に表示して、静止画を順次切替えるような場合に、複数の静止画の前後画面の切替操作を十字キー２７の上下キー２７ａ、２７ｂに当てはめておくと、ユーザは、キー操作対応表からこの静止画の切替操作を知ることができるので、十字キー２７を切替えて静止画を順次選択することができる。このように、ユーザは、テレビ本体部３用のリモコン送信機２を用いて、拡張ボード６のリモコン操作を行うことができる。これにより、拡張ボード６用に新たにリモコン送信機を開発する必要はなく、ユーザも別途リモコン送信機を購入する必要がなくなる。また、この拡張ボード６のリモコン操作の案内情報を拡張ボード６の映像出力部６２からの映像出力信号に重畳することにより、ユーザが表示部４のディスプレイ画面を見ながらリモコン操作できるように、ユーザに操作ガイドすることもできる。
【００２３】
このように上記実施形態のテレビジョン装置１０によれば、テレビ本体部３と拡張ボード６にそれぞれ第１のＩＦ部３９、第２のＩＦ部６４を設けたことにより、後付による拡張ボード６の組み込みが可能となり、ユーザが製品購入後も外付け機器を接続すること無しに装置の機能拡張を図ることができる。さらに、拡張ボード６を組み込んだ状態で、テレビ本体部３の制御ラインと拡張ボード６の制御ラインとを直接接続して、拡張ボード６から拡張コードをテレビ本体部３に通信できるので、この拡張ボード６を同じリモコン送信機２を用いて容易に遠隔制御することができる。また、拡張ボード６を制御する拡張コードの中に、拡張ボード６をリモコン操作する操作キーを指定する情報を付加しておくことにより、新たに操作キーを追加したり、別途リモコン送信機を準備する必要がなく、テレビ本体部３用のリモコン送信機２により後付けで組み込まれた拡張ボード６をリモコン操作することができる。また、ユーザがリモコン送信機２で拡張ボード操作を選択したときに、主制御部３７がリモコン送信機２からのリモコンコードを変換せずそのまま拡張ボード制御部６５に送信するので、拡張ボード制御部６５でリモコンコードを直接検出して、拡張ボード６を制御でき、拡張ボード６におけるリモコン操作の応答速度が速くなる。また、同時にテレビ本体部３側で拡張コードを検知する拡張コード情報を記憶する必要がないので、テレビ本体部３の主メモリ部３８に拡張ボード６から拡張コードを転送する必要がなく、また主メモリ部３８の容量も少なくて済む。また、ユーザがリモコン送信機２で拡張ボード操作を選択したときに、拡張ボード制御部６５は、テレビ本体部３からのリモコンコードの中に拡張コードを検出しなかった場合であっても、テレビ本体部３を制御するために必要なリモコンコートを検出したときは（例えば、電源オンオフキー、画質調整キー、音量調整キーなど）、このリモコンコードをそのままテレビ本体部３に送り返して、このコードによりテレビ本体部３を制御するので、拡張ボード６は、拡張ボード自体に係る拡張コードだけを記憶すればよく、その分、拡張メモリ部６６のメモリ容量を少なくすることができる。
【００２４】
なお、本発明は上記実施形態の構成に限定されるものではなく、発明の趣旨を変更しない範囲で適宜に種々の変形が可能である。例えば、拡張ボードに複数の映像音声記憶媒体を備えて複数の映像音声信号を切替えることもできる。また、拡張ボードの映像音声信号処理部に、テレビジョン受像機で復調された映像音声信号を記憶することも可能である。また、複数の拡張ボードを設けて同様にリモコン送信機により切替制御することもできる。
【図面の簡単な説明】
【００２５】
【図１】本発明の第１の実施形態に係るテレビジョン装置の回路構成図。
【図２】同上装置におけるリモコン送信機の操作キー例を示す図。
【図３】同上装置における動作手順を説明するためのフローチャート。
【符号の説明】
【００２６】
１  テレビジョン受像機
２  リモコン送信機
３  テレビ本体部
４  表示部
５  スピーカ（拡声部）
６  拡張ボード
２１  リモコン操作部
２２  リモコン送信部
２３  モード切替ボタン
３１  リモコン受信部
３２  チューナ（テレビ信号復調部）
３３  映像デコーダ
３４  音声デコーダ
３７  主制御部
３８  主メモリ部
３９  第１のＩＦ部
６１  映像音声信号処理部
６４  第２のＩＦ部
６５  拡張ボード制御部
６６  拡張メモリ部
【図１】
2008199466.tif 000003
【図２】
2008199466.tif 000004
【図３】
2008199466.tif 000005